(57)【要約】【課題】遠隔制御不可能なオフライン操作を含む操作手順を作成するシステムを提供する。【解決手段】操作手順作成システム１は、現場の作業員などにより実施されるオフライン操作名と、オフライン操作と順序が近いオンライン操作名を含む検索条件と、オフライン操作名を割付ける順序を特定する割付規則と、が関連付けられて記録された割付パターンデータベース７を備え、操作入力端末４より実施順序と伴にオンライン操作の名称の入力を受付け、オンライン操作名及び実施順序を含むオンライン操作手順を作成し、割付パターンデータベース７を参照して、オンライン操作手順において検索条件に該当する部分を特定し、割付パターンデータベース７より検索条件と関連付けられたオフライン操作名及び割付規則を取得し、取得した割付規則に基づいて、オンライン操作手順に取得したオフライン操作名を割付けることにより操作手順を作成する。【選択図】図２
2007189787.tif 000002
【特許請求の範囲】
【請求項１】
電力設備に関し、現場の作業員などにより実施されるオフライン操作の属性情報と、前記オフライン操作と操作順序が近いオンライン操作の属性情報とを含む検索条件と、前記オフライン操作の属性情報を割付ける順序を前記オンライン操作に絡めて特定する割付規則と、が関連付けられて記録された割付パターンデータベースを備え、前記オフライン操作を含む点検作業などの操作手順を作成するシステムであって、
実施順序と伴にオンライン操作の属性情報の入力を受付ける入力受付手段と、
前記受付けたオンライン操作の属性情報と、このオンライン操作の実施順序と、を含むオンライン操作手順を作成する手段と、
前記割付パターンデータベースを参照して、前記オンライン操作手順において前記検索条件と該当する部分を特定する手段と、
前記検索条件との該当部分について、前記割付パターンデータベースより、前記検索条件と関連付けられたオフライン操作の属性情報と、割付規則と、を取得する手段と、
前記取得した割付規則に基づいて、前記オンライン操作手順に前記取得したオフライン操作の属性情報を割付けることにより操作手順を作成する手段と、
前記作成した操作手順を出力インターフェースに出力する手段と、を備えることを特徴とする操作手順作成システム。
【請求項２】
請求項１において、
過去に実施された操作手順が記録された操作手順情報データベースと、
前記操作手順情報データベースを参照し、過去の操作手順に含まれるオフライン操作を検索する検索手段と、
前記検索手段がオフライン操作を検出した場合に、前記オフライン操作の属性情報及びこのオフライン操作の前後のオンライン操作に基づいて、前記オフライン操作の属性情報と、検索条件と、割付規則と、を取得する手段と、
前記取得したオフライン操作の属性情報と、検索条件と、割付規則とを前記割付パターンデータベースに記録する手段と、を備えることを特徴とする操作手順作成システム。
【請求項３】
電力設備について作成された操作手順に基づいて、オンライン操作可能な電力設備の装置に各オンライン操作の実施指令信号を送信する操作制御装置と、
前記操作制御装置から前記操作手順を取得して、それを表示する表示部を有する携帯端末と、を備えることを特徴とする操作制御システム。
【請求項４】
請求項３において、
前記操作制御装置は、前記操作手順における現在の操作の進行状況に関する情報を前記携帯端末に送信する手段を備え、
前記携帯端末は、前記操作制御装置から受信した現在の操作の進行状況に関する情報を前記表示部に表示するものであることを特徴とする操作制御システム。
【請求項５】
請求項３又は４において、
前記操作制御装置は、操作手順に基づき、次に実施すべき操作がオフライン操作である場合に、オフライン操作開始信号を前記携帯端末に送信する手段を備え、
前記携帯端末は、前記オフライン操作開始信号を受信した後に、オフライン操作が終了した旨の入力を受付ける手段と、
前記オフライン操作が終了した旨の入力を受付けると、オフライン操作終了信号を前記操作制御装置に送信する手段を備え、
前記操作制御装置は、前記オフライン操作開始信号を送信した後、前記オフライン操作終了信号を受信するまで、前記実行指令信号を送信しないことを特徴とする制御システム。
【請求項６】
電力設備に関し、現場の作業員などにより実施されるオフライン操作の属性情報と、前記オフライン操作と操作順序が近いオンライン操作の属性情報とを含む検索条件と、前記オフライン操作の属性情報を割付ける順序を前記オンライン操作に絡めて特定する割付規則と、が関連付けられて記録された割付パターンデータベースを備え、前記オフライン操作を含む点検作業などの操作手順を作成する方法であって、
実施順序と伴にオンライン操作の属性情報の入力を受付けるステップと、
前記受付けたオンライン操作の属性情報と、このオンライン操作の実施順序と、を含むオンライン操作手順を作成するステップと、
前記割付パターンデータベースを参照して、前記オンライン操作手順において前記検索条件と該当する部分を特定するステップと、
前記検索条件との該当部分について、前記割付パターンデータベースより、前記検索条件と関連付けられたオフライン操作の属性情報と、割付規則と、を取得するステップと、
前記取得した割付規則に基づいて、前記オンライン操作手順に前記取得したオフライン操作の属性情報を割付けることにより操作手順を作成するステップと、
前記作成した操作手順を出力インターフェースに出力するステップと、を備えることを特徴とする操作手順作成方法。
【請求項７】
現場の作業員などにより実施されるオフライン操作の属性情報と、前記オフライン操作と操作順序が近いオンライン操作の属性情報とを含む検索条件と、前記オフライン操作を前記オンライン操作に絡めて割付ける順序を特定する割付規則と、が関連付けられて記録された割付パターンデータベースにアクセス可能なコンピュータに、
実施順序と伴にオンライン操作の属性情報の入力を受付けるステップと、
前記受付けたオンライン操作の属性情報と、このオンライン操作の実施順序と、を含むオンライン操作手順を作成するステップと、
前記割付パターンデータベースを参照して、前記オンライン操作手順における前記操作検索との該当部分を特定するステップと、
前記検索条件との該当部分について、前記割付パターンデータベースより、前記検索条件と関連付けられたオフライン操作の属性情報と、割付規則と、を取得するステップと、
前記取得した割付規則に基づいて、前記オンライン操作手順に前記取得したオフライン操作の属性情報を割付けることにより操作手順を作成するステップと、
前記作成した操作手順を出力するステップと、を実行させるためのコンピュータプログラム。
【発明の詳細な説明】
【技術分野】
【０００１】
本発明は、遠隔制御できないオフライン操作を含む操作手順を作成するための操作手順作成システム、及びこの操作手順作成システムにより作成された操作手順に基づき作業を実施する操作制御システムに関する。
【背景技術】
【０００２】
電力系統の事故復旧作業や点検作業には、作業の迅速性と操作手順の正確性が求められる。従来、このような電力系統の事故復旧作業や点検作業の操作手順は、熟練した作業員が作成した操作手順書に基づいて行っていた。しかし、電力系統の設備は、年々、複雑化、大規模化しており、作業員により操作手順書を作成する方法では人為的なミスが生じる虞がある。
【０００３】
そこで、電力系統の操作手順書を正確に作成するために、例えば特許文献１には、ＣＡＤ図面の幾何的情報から点検作業等の対象となる設備及び設備間の接続状態を抽出し、抽出した設備の状態から設備に対する操作手順を作成するシステムが記載されている。
【特許文献１】特開平７−２１２９７３号公報
【発明の開示】
【発明が解決しようとする課題】
【０００４】
電力系統の事故復旧作業や点検作業には、設備操作端末より回線等を通じて遠隔操作により行われる操作（以下、オンライン操作という）と、現場において作業員の手作業により行われる操作（以下、オフライン操作という）とが含まれる。上記の操作手順作成システムは、ＣＡＤ図面等を基に操作手順を作成するため、オンライン操作は手順作成の対象となるが、オフライン操作は作成された操作手順書に含まれず、見落としてしまう虞がある。
また、予め標準的な操作手順を作成しておくことも行われているが、複数の作業を同時に行う場合は対応できないことが多く、設備改修などがあるごとに登録データの見直しを行わなければならない。
【０００５】
本発明は、上記の問題に鑑みなされたものであり、オフライン操作を含む操作手順を作成できる操作手順作成システム及びこのシステムにより作成された操作手順に基づき操作を制御する操作制御システムを提供することを目的とする。
【課題を解決するための手段】
【０００６】
本発明の操作手順作成システムは、電力設備に関し、現場の作業員などにより実施されるオフライン操作の属性情報と、前記オフライン操作と操作順序が近いオンライン操作の属性情報とを含む検索条件と、前記オフライン操作の属性情報を割付ける順序を前記オンライン操作に絡めて特定する割付規則と、が関連付けられて記録された割付パターンデータベースを備え、前記オフライン操作を含む点検作業などの操作手順を作成するシステムであって、実施順序と伴にオンライン操作の属性情報の入力を受付ける入力受付手段と、前記受付けたオンライン操作の属性情報と、このオンライン操作の実施順序と、を含むオンライン操作手順を作成する手段と、前記割付パターンデータベースを参照して、前記オンライン操作手順において前記検索条件と該当する部分を特定する手段と、前記検索条件との該当部分について、前記割付パターンデータベースより、前記検索条件と関連付けられたオフライン操作の属性情報と、割付規則と、を取得する手段と、前記取得した割付規則に基づいて、前記オンライン操作手順に前記取得したオフライン操作の属性情報を割付けることにより操作手順を作成する手段と、前記作成した操作手順を出力インターフェースに出力する手段と、を備えることを特徴とする。
【０００７】
また、上記のシステムにおいて、過去に実施された操作手順が記録された操作手順情報データベースと、前記操作手順情報データベースを参照し、過去の操作手順に含まれるオフライン操作を検索する検索手段と、前記検索手段がオフライン操作を検出した場合に、前記オフライン操作の属性情報及びこのオフライン操作の前後のオンライン操作に基づいて、前記オフライン操作の属性情報と、検索条件と、割付規則と、を取得する手段と、前記取得したオフライン操作の属性情報と、検索条件と、割付規則とを前記割付パターンデータベースに記録する手段と、を備えてもよい。
【０００８】
上記の操作手順作成システムによれば、オフライン操作と、その前又は後の順序のオフライン操作とからなる操作パターンに基づいて、オンライン操作からなるオンライン操作手順にオフライン操作を追加するため、オフライン操作を含む操作手順書を作成することができ、オフライン作業を見過ごすことを防止できる。
【０００９】
また、本発明の操作制御システムは、電力設備について作成された操作手順に基づいて、オンライン操作可能な電力設備の装置に各オンライン操作の実施指令信号を送信する操作制御装置と、前記操作制御装置から前記操作手順を取得して、それを表示する表示部を有する携帯端末と、を備えることを特徴とする。
【００１０】
上記のシステムにおいて、前記操作制御装置は、前記操作手順における現在の操作の進行状況に関する情報を前記携帯端末に送信する手段を備え、前記携帯端末は、前記操作制御装置から受信した現在の操作の進行状況に関する情報を前記表示部に表示するものとしてもよい。
【００１１】
また、前記操作制御装置は、操作手順に基づき、次に実施すべき操作がオフライン操作である場合に、オフライン操作開始信号を前記携帯端末に送信する手段を備え、前記携帯端末は、前記オフライン操作開始信号を受信した後に、オフライン操作が終了した旨の入力を受付ける手段と、前記オフライン操作が終了した旨の入力を受付けると、オフライン操作終了信号を前記操作制御装置に送信する手段を備え、前記操作制御装置は、前記オフライン操作開始信号を送信した後、前記オフライン操作終了信号を受信するまで、前記実行指令信号を送信しないものであってもよい。
【００１２】
また、本発明は、電力設備に関し、現場の作業員などにより実施されるオフライン操作の属性情報と、前記オフライン操作と操作順序が近いオンライン操作の属性情報とを含む検索条件と、前記オフライン操作の属性情報を割付ける順序を前記オンライン操作に絡めて特定する割付規則と、が関連付けられて記録された割付パターンデータベースを備え、前記オフライン操作を含む点検作業などの操作手順を作成する方法であって、実施順序と伴にオンライン操作の属性情報の入力を受付けるステップと、前記受付けたオンライン操作の属性情報と、このオンライン操作の実施順序と、を含むオンライン操作手順を作成するステップと、前記割付パターンデータベースを参照して、前記オンライン操作手順において前記検索条件と該当する部分を特定するステップと、前記検索条件との該当部分について、前記割付パターンデータベースより、前記検索条件と関連付けられたオフライン操作の属性情報と、割付規則と、を取得するステップと、前記取得した割付規則に基づいて、前記オンライン操作手順に前記取得したオフライン操作の属性情報を割付けることにより操作手順を作成するステップと、前記作成した操作手順を出力インターフェースに出力するステップと、を備えることを特徴とする操作手順作成方法を含むものとする。
【００１３】
さらに、本発明は、現場の作業員などにより実施されるオフライン操作の属性情報と、前記オフライン操作と操作順序が近いオンライン操作の属性情報とを含む検索条件と、前記オフライン操作を前記オンライン操作に絡めて割付ける順序を特定する割付規則と、が関連付けられて記録された割付パターンデータベースにアクセス可能なコンピュータに、実施順序と伴にオンライン操作の属性情報の入力を受付けるステップと、前記受付けたオンライン操作の属性情報と、このオンライン操作の実施順序と、を含むオンライン操作手順を作成するステップと、前記割付パターンデータベースを参照して、前記オンライン操作手順における前記操作検索との該当部分を特定するステップと、前記検索条件との該当部分について、前記割付パターンデータベースより、前記検索条件と関連付けられたオフライン操作の属性情報と、割付規則と、を取得するステップと、前記取得した割付規則に基づいて、前記オンライン操作手順に前記取得したオフライン操作の属性情報を割付けることにより操作手順を作成するステップと、前記作成した操作手順を出力するステップと、を実行させるためのコンピュータプログラムを含むものとする。
【発明の効果】
【００１４】
本発明の操作手順作成システムによれば、オフライン操作を含む操作手順を操作手順作成者の負担を増やすことなく簡便かつ確実に作成することができ、操作手順の作成時や点検作業時においてオフライン操作を見落とすことを防止できる。また、本発明の操作制御システムによれば、オフライン操作の手順が到来すると、携帯端末のみが操作に関する制御を実行できるため、作業手順に定められたオフライン操作をせずにオンライン操作を行ってしまうといったミスを防ぐことができる。
【発明を実施するための最良の形態】
【００１５】
以下、本発明の操作手順作成システム及び操作手順制御システムの一実施形態を図面に基づき説明する。
図１は、電力系統の点検作業の一例であるラインスイッチ（以下、ＬＳという）の点検作業前及び点検作業後の操作手順のフローを示す図である。同図に示すように、ＬＳ点検作業前の操作手順としては、“手順１：遮断器（以下、ＣＢという）切”、“手順２：ＬＳ切”、“手順３：ＬＳ機械ロック”という順序で実施しなければならない。また、点検作業後には、“手順１：機械ロック解除”、“手順２：ＬＳ入”、“手順３：ＣＢ入”という順序で実施しなければならない。
【００１６】
ここで、点検作業の操作手順には、点検作業前の操作の“手順１：ＣＢ切”、“手順２：ＬＳ切”及び点検作業後の操作の“手順２：ＬＳ入”、“手順３：ＣＢ入”などのネットワーク等を介して遠隔操作可能なオンライン操作と、点検作業前の操作の“手順３：ＬＳ機械ロック”、及び作業後手順の“手順１：機械ロック解除”などの、遠隔操作が不可能なオフライン操作とが含まれる。このようなオフライン操作は、現場において作業員の手により行う必要がある。
【００１７】
ところで、このようなオフライン操作は、その前後に特定のオンライン操作を伴うことが多い。例えば、上記のＬＳ点検作業前及び点検作業後の操作手順において、“ＬＳ機械ロック”は、“ＣＢ切”、“ＬＳ切”の後に行われることが多く、“機械ロック解除”は、“ＬＳ入”、“ＣＢ入”の前に行われることが多い。そこで、発明者らは、これらのことを踏まえて、本実施形態の操作手順作成システム及び操作制御システムを以下に示す構成とした。
【００１８】
図２は、本実施形態の操作手順作成システム１の構成を示す図である。図２に示すように、本実施形態の操作手順作成システム１は、割付パターンデータベース７と操作手順書データベース８と操作手順作成サーバ６とからなるサーバシステム３と、当該サーバシステム３とネットワーク５を経由して接続された操作入力端末４と、で構成される。但し、操作入力を受付ける入力インターフェイスを前記サーバシステム３が備えているのであれば、サーバシステム３を操作手順作成サーバ６とみなしてもよい。
【００１９】
図３は、操作入力端末４の構成を示す図である。同図に示すように、操作入力端末４は、操作情報入力部４０と、表示部４１と、割付可否入力部４２と、送受信部４３とを備える。
【００２０】
操作情報入力部４０は、操作手順作成者によるオンライン操作の名称及びこのオンライン操作の実施順序の入力を受付ける。操作情報入力部４０より入力されたオンライン操作の名称及びこのオンライン操作の実施順序は、送受信部４３よりネットワーク５を介して、サーバシステム３に送信される。
表示部４１は、操作手順作成サーバ６により送信された、オフライン操作割付済みの操作手順を表示する。割付可否入力部４２は、割付けられたオフライン操作が適切であるか否かの割付可否情報の入力を受付ける。割付可否入力部４２が受付けた割付可否情報は送受信部４３よりネットワーク５を介して、サーバシステム３に送信される。
【００２１】
図４は、サーバシステム３の構成を示す図である。同図に示すように、サーバシステム３は、操作手順作成サーバ６と、割付パターンデータベース７と、操作手順書データベース８と、を備える。
【００２２】
操作手順作成サーバ６は、オンライン操作手順作成部６１と、割付パターン特定部６２と、割付情報取得部６３と、操作手順作成部６４と、割付パターン取得部６５と、オフライン操作検索部６６と、操作手順記録部６７と、送受信部６８とを備える。
【００２３】
オンライン操作手順作成部６１は、操作手順作成サーバ６が操作入力端末４より作業種別を受信すると、新規に操作手順ファイルを作成する。また、オンライン操作手順作成部６１は、操作手順作成サーバ６がオンライン操作の名称及びこのオンライン操作を受信すると、これらを操作手順ファイルに記録する。
【００２４】
割付パターン特定部６２は、操作手順ファイルにオンライン操作が記録されるごとに、後述する割付パターンデータベース７を参照して、操作手順ファイルに記録されているオンライン操作の手順において、各オンライン操作パターンに該当する部分を検索する。
【００２５】
割付情報取得部６３は、割付パターン特定部６２においてオンライン操作パターンに該当する部分が特定された場合に、割付パターンデータベース７を参照して、この特定されたオンライン操作パターンと関連付けられて記録された割付オフライン操作及び割付位置を取得する。
【００２６】
操作手順作成部６４は、オンライン操作手順作成部６１で作成された操作手順ファイルに、割付情報取得部６３で取得した割付オフライン操作を、割付位置に基づいて追加する。また、操作入力端末４の割付可否入力部４２より受信した割付可否情報において、割付が不適切である場合には、追加したオフライン操作を取り消す。
【００２７】
操作手順記録部６７は、過去に実施された点検作業などの操作手順書のファイルを、後述する操作手順書データベース８に記録する。オフライン操作検索部６６は、操作手順書データベース８を参照して、過去の操作手順ファイルにおいて、オフライン操作を検索する。
【００２８】
割付パターン取得部６５は、オフライン操作検索部６６においてオフライン操作が検出された場合に、オフライン操作及びその前後のオンライン操作をオフライン操作パターンとして認識し、このオフライン操作パターンに基づき、後に詳述する作業件名と、オンライン操作のパターンと、割付オフライン操作と、割付位置を取得して割付パターンデータベース７に記録する。
【００２９】
操作手順書データベース８には、過去に点検作業などの作業に用いられた操作手順書に記載された操作手順ファイルが記録されている。図５には、操作手順書データベース８に記録された過去の操作手順ファイルの一例を示す。同図に示すように、操作手順書データベース８に記録された過去の操作手順ファイルには、作業件名や作業時刻などの作業特定情報と、夫々の操作の操作名称、操作の手順、及びオンライン操作とオフライン操作との区別が記録されている。
【００３０】
図６は、割付パターンデータベース１３に記録されたデータ項目を示す図である。同図に示すように、割付パターンデータベース１３には、作業件名と、オフライン操作の割付が必要であるか否かを判定するためのオンライン操作のパターンと、割付られる割付オフライン操作と、オンライン操作のパターンに対する割付位置とが組み合わされて記録されている。
【００３１】
操作手順書データベース８に、操作手順記録部６７より新たに過去の操作手順ファイルが記録されると、オフライン操作検索部６６が操作手順書データベース８を参照し、この過去の操作手順ファイルにオフライン操作が含まれるか否かを検索する。オフライン操作検索部６６がオフライン操作を検出した場合には、割付パターン取得部６５がこのオフライン操作を含む複数の操作を操作パターンとして認識し、このオフライン操作を割付オフライン操作として、オフライン操作の前後のオンライン操作をオンライン操作パターン（請求項の検索条件に相当）として、オンライン操作パターンとオフライン操作との順序関係を割付位置（請求項の割付規則に相当）として割付パターンデータベース７に記録する。
【００３２】
以下、本実施形態の操作手順作成システム１により、操作手順ファイルを作成する方法について説明する。
図７は、操作手順ファイルを作成する流れを示す図である。まず、操作手順書作成者は、操作入力端末４の操作情報入力部４０より、操作手順の作成の対象となる作業件名等の作業特定情報を入力する。入力された作業特定情報は、送受信部４３より操作手順作成サーバ６に送信される(Ｓ２０１)。操作手順作成サーバ６が、送受信部６８において作業件名等の新規の作業特定情報の入力を受付けると、操作手順作成サーバ６のオンライン操作手順作成部６１は、新規に操作手順ファイルを作成する。
【００３３】
さらに、操作手順書作成者は、操作入力端末４の操作情報入力部４０より実施すべき手順に従ってオンライン操作の名称を入力する。操作入力端末４は、入力されたオンライン操作の名称を順次、送受信部４３より操作手順作成サーバ６に送信する（Ｓ２０２）。
【００３４】
操作手順作成サーバ６は、送受信部６８においてオンライン操作名称を受信すると（Ｓ１０１、Ｓ１０２）、このオンライン操作名称をオンライン操作手順作成部６１に送信する。オンライン操作手順作成部６１は、前記オンライン操作名称を受信した順序に従って、これらを操作手順ファイルに記載する（Ｓ１０３）。なお、この操作手順ファイルは、操作手順に従って入力されたオンライン操作の名称が、入力された順序に従って操作手順作成サーバ６により記録されるため、実施すべき操作手順に従ってオンライン操作の名称が記載された構成となっている。
【００３５】
操作手順ファイルに新たなオンライン操作名称が記録されると、割付パターン特定部６２は、割付パターンデータベース７を参照して、操作手順ファイルの作業件名と関連付けられている作業件名とが一致する操作パターンを取得する（Ｓ１０４）。そして、操作手順ファイルに含まれるオンライン操作の操作手順において、取得したオンライン操作パターンと一致する部分が含まれるか否かを検証する（Ｓ１０５）。
【００３６】
操作手順ファイルにオンライン操作パターンと一致する部分がある場合には（Ｓ１０５でＹＥＳ）、割付情報取得部６３が、割付パターンデータベース７を参照して、該当するオンライン操作パターンの割付オンライン操作及び割付位置の情報を取得する。取得した割付オンライン操作及び割付位置の情報は、操作手順作成部６４に送信される。また、操作手順ファイルにオンライン操作パターンと一致する部分がない場合には（Ｓ１０５でＮＯ）、次の操作手順の入力まで待機する（Ｓ２０５）。
【００３７】
操作手順作成部６４は、取得した割付位置の情報に従って、操作手順ファイルに割付オフライン操作の名称を追加する。このようにオフライン操作の割付が行われた操作手順ファイルは、送受信部６８より操作入力端末４に送信される（Ｓ１０６）。
【００３８】
操作入力端末４は操作手順ファイルを受信すると、表示部４１にこの操作手順ファイルを画面表示する（Ｓ２０３）。操作手順書作成者は画面表示された操作手順ファイルに追加されたオフライン操作が必要であるか否かに関する割付可否情報を割付可否入力部４２に入力する（Ｓ２０４）。入力された割付可否情報は送受信部４３よりネットワーク５を介して操作手順作成サーバ６に送信される。
【００３９】
操作手順作成部６４は、操作手順作成サーバ６が受信した割付可否情報に基づき、オフライン操作の割付が不適切な場合には（Ｓ１０７でＮＯ）、この割付けられたオフライン操作を取り消す（Ｓ１０８）。追加されたオフライン操作が適切である場合（Ｓ１０７でＹＥＳ）、及びオフライン操作を取り消した場合には、操作手順書作成者により次のオンライン操作の入力まで待機する。次のオンライン操作の入力がある場合には（Ｓ２０５）、Ｓ２０２に戻り、以上説明したステップを繰り返す。次のオンライン操作の入力が無い場合には（Ｓ２０６でＮＯ）、操作手順ファイルの作成が完了する。
【００４０】
次に、以上説明したように作成された操作手順に基づいて操作の制御を行うためのシステムについて説明する。
図８は、操作制御システム２の構成図である。同図に示すように、本実施形態の操作制御システム２は、ネットワーク５を経由して接続された、操作制御装置９と、作業員が携帯する携帯端末１０とで構成され、制御対象となる制御対象装置１１の各種制御を行う。また、操作手順作成システム１のサーバシステム３は、ネットワーク５を介して、操作制御システム２に接続されている。
【００４１】
図９は、操作制御装置９の構成を示す図である。同図に示すように、操作制御装置９は、オンライン操作制御部９３及び制御権管理部９４を有する制御部９２と、作業進行状況送信部９１とを備える。
【００４２】
作業進行状況送信部９１は、制御部９２より現在の作業の進行状況に関する情報を取得し、この作業の進行状況に関する情報を、ネットワーク５を介して携帯端末１０に送信する。
【００４３】
制御部９２は、作成された操作手順ファイルに基づいて作業の制御を行う。次に実施すべき操作がオンライン操作である場合には、オンライン操作制御部９３が、オンライン操作可能な電力設備の制御対象装置１１にオンライン操作の実行指令を送信する。
また、次に実施すべき操作がオフライン操作である場合には、制御権管理部９４が、携帯端末１０に制御権信号を送信する。オンライン操作制御部９３は、制御権管理部９４と接続されており、制御権管理部９４が制御権信号を送信すると、再び携帯端末１０より制御権信号を受信するまで、オンライン操作を実施しなくなる。
【００４４】
図１０は、携帯端末１０の構成を示す図である。同図に示すように、携帯端末１０は、操作完了入力受付部１５と、制御権管理部１６と、表示部１７と、作業進行状況受信部１８とを備える。
操作完了入力受付部１５は、オンライン操作を完了した操作担当者によるオンライン操作完了の旨の入力を受付ける。制御権管理部１６は、操作制御装置９より制御権信号を受信すると、表示部１７にオフライン操作を開始する旨の指令を表示する。また、制御権管理部１６は、操作完了入力受付部１５が、オフライン操作完了の旨の入力を受け付けると、ネットワーク５を介して、操作制御装置９に制御権信号を送信する。
作業進行状況受信部１８は、操作制御装置９より作業の進行状況に関する情報を受信すると、この作業の進行状況に関する情報を表示部１７に表示する。
【００４５】
次に、作成された操作手順ファイルに基づいて、作業を行う方法について説明する。
図１１は、作成された操作手順ファイルに基づいて制御を行う流れを示す図である。まず、操作手順作成サーバ６は、作成された操作手順ファイルを操作制御装置９及び携帯端末１０に送信する（Ｓ２１１）。操作制御装置９は、操作手順ファイルを受信すると（Ｓ４１１）、この操作手順ファイルを制御部９２に送信する。
【００４６】
操作手順ファイルに記録された操作の順序及びオンライン操作であるかオフライン操作であるかに関する情報に基づき、次に実施すべき操作がオンライン制御可能な操作である場合には（Ｓ４１２でＹＥＳ）、オンライン操作制御部９３は、制御対象装置１１に制御信号を送信する。この時、制御対象装置１１は前記制御信号を受信し、夫々の制御対象装置１１にかかわるオンライン操作を実施する（Ｓ４１３）。なお、このステップＳ４１３の処理については、フロー説明の便宜上、操作制御装置９の処理手順のフローに含ませたが、処理自体は制御対象装置１１にて実行されるものとする。
また、このようにオンライン操作が行われている際、作業進行状況送信部９１は、逐次、制御部９２より作業の進行状況に関する情報を取得し、取得した作業の進行状況に関する情報を携帯端末１０に送信する（Ｓ４１４）。携帯端末１０の作業進行状況受信部１８がこの作業の進行状況に関する情報を受信すると、受信した進行状況に関する情報を表示部１７に画面表示する（Ｓ３１３）。これにより、現場の作業員は常に作業の進行状況を把握できるため、予め作業の準備等を行うことができる。
【００４７】
そして、今回実施したオンライン操作が、操作手順ファイルにおいて、最終の操作である場合（Ｓ４１５でＹＥＳ）には、作業を終了する（Ｓ４１９）。また、最終の操作でない場合（Ｓ４１５でＮＯ）には、操作手順に基づきＳ４１２に戻り、次の操作を実施する。
【００４８】
また、次に実施すべき操作がオフライン操作の場合には（Ｓ４１５でＮＯ）、制御部９２の制御権管理部９４は携帯端末１０に制御権信号（請求項のオフライン操作開始信号に相当）を送信する（Ｓ４１６）。携帯端末１０は制御権信号を受信すると（Ｓ３１４）、オフライン操作を開始する旨の開始指令を画面表示する（Ｓ３１５）。現場の作業員は、表示部１７に開始指令が表示されるのを待って、オフライン操作を開始する（Ｓ３１６）。そして、現場の作業員は、オフライン操作が終了すると、携帯端末１０の操作完了入力受付部１５より操作終了の旨の入力を行う（Ｓ３１７）。操作完了入力受付部１５に操作完了の旨の入力が行われると、制御権管理部１６は操作制御装置９に制御権信号（請求項のオフライン操作終了信号に相当）を送信する（Ｓ３１８）。
【００４９】
ここで、操作制御装置９が携帯端末１０に制御権信号を送信してから（Ｓ４１５）、携帯端末１０より制御権信号が送信されるまで（Ｓ３１８）の間、オンライン操作制御部９３は、オンライン操作対象の装置１１に対して制御信号を送信しなくなる。これにより、オフライン操作が完了し、現場作業員により操作完了の旨の入力があるまで、次のオンライン操作が行われることがなく、オフライン操作を見過ごすようなミスを防止することができる。
【００５０】
そして、今回実施した操作が、操作手順ファイルにおいて、最終の操作である場合（Ｓ４１８でＹＥＳ）には、作業を終了する（Ｓ４１９）。また、最終の操作でない場合（Ｓ４１８でＮＯ）には、操作手順に基づきＳ４１２に戻り、次の操作を実施する。
【００５１】
以上説明したように本実施形態の操作手順作成システムによれば、操作手順ファイルに自動的にオフライン操作が加えられるため、操作手順作成者の負担を増やすことなくオフライン操作を見過ごすミスを防止することができる。
【００５２】
また、操作制御システムによれば、オンライン操作の際には、操作入力端末のみが、オフライン操作の際には、携帯端末のみが制御可能となるため、オフライン操作の順序を抜かしてしまうような人為的ミスを防ぐことができる。
【００５３】
なお、本実施形態では、オンライン操作の名称の入力を受付けるたびに、オフライン操作の割付を検討する構成としたが、これに限らず、例えば、予めオンライン操作手順を自動作成するシステムにより作成した操作手順ファイルを受付け、受付けた操作手順ファイルに対して、オフライン操作の割付を検討する構成としてもよい。また、上記実施形態は、操作の属性情報として操作名称を用いているが、これに限らず、操作を特定することができる情報であれば構わない。
【図面の簡単な説明】
【００５４】
【図１】電力系統の点検作業の一例であるラインスイッチの点検の作業前手順のフローを示す図である。
【図２】本実施形態の操作手順作成システムの構成図である。
【図３】操作入力端末の構成図である。
【図４】サーバシステムの構成図である。
【図５】作業手順書データベースに記録された過去の操作手順ファイルの一例を示す図である。
【図６】割付パターンデータベースに記録されたデータ項目を示す図である。
【図７】操作手順ファイルを作成する流れを示す図である。
【図８】本実施形態の操作制御システムの構成図である。
【図９】操作制御装置の構成図である。
【図１０】携帯端末の構成図である。
【図１１】作成された操作手順ファイルに基づいて制御を行う流れを示す図である。
【符号の説明】
【００５５】
１  操作手順作成システム                ２  操作制御システム
３  サーバシステム                      ４  操作入力端末
５  ネットワーク                        ６  操作手順作成サーバ
７  割付パターンデータベース            ８  操作手順書データベース
９  操作制御装置                        １０  携帯端末
１１  制御対象装置
１５  操作完了入力受付部                    １６  制御権管理部
１７  表示部                            １８  作業進行状況受信部
４０  操作情報入力部                    ４１  表示部
４２  割付可否入力部                    ４３  送受信部
６１  オンライン操作手順作成部          ６２  割付パターン特定部
６３  割付情報取得部                    ６４  操作手順作成部
６５  割付パターン取得部                ６６  オフライン操作検索部
６７  操作手順記録部                    ６８  送受信部
９１  作業進行状況送信部                ９２  制御部
９３  オンライン操作制御部              ９４  制御権管理部
【図１】
2007189787.tif 000003
【図２】
2007189787.tif 000004
【図３】
2007189787.tif 000005
【図４】
2007189787.tif 000006
【図５】
2007189787.tif 000007
【図６】
2007189787.tif 000008
【図７】
2007189787.tif 000009
【図８】
2007189787.tif 000010
【図９】
2007189787.tif 000011
【図１０】
2007189787.tif 000012
【図１１】
2007189787.tif 000013